(57)【要約】【課題】  本発明は、長期間にわたり水分が混入した燃料の水分を円滑に濾過できる濾過機構を有する燃料タンクを供給することを課題とする。【解決手段】  筒体３９とエレメント４５とからなるフィルタ部材４６を介して、タンク内の燃料をタンク外に導く形式の燃料タンク１８において、フィルタ部材４６は縦長の筒体３９であり、この筒体に傾斜させた一面のエレメント４５を備えた。そして、筒体３９は、上部開口部４８及び下部開口部４９としての燃料排出口３８の入口を除き燃料並びに水を通さない壁で構成し、傾斜させたエレメントは、上部開口部に被せた。  すなわち、筒体３９を構成する第２縦壁部４２の高さｈ２を第４縦壁部４４の高さｈ４よりも高く、ｈ４＜ｈ２となるように立設し、第２縦壁部４２の上面４２ａと第４縦壁部４４の上面４４ａにエレメント４５を取付けた。そして、筒体３９の内側下部から水平方向に燃料排出口３８を設けた。【選択図】      図５
2005155347.tif 000002
【特許請求の範囲】
【請求項１】
水は通さないが燃料は通過させる性質を有するフッ素樹脂製エレメントを備えるフィルタ部材を介して、タンク内の燃料をタンク外に導く形式の燃料タンクにおいて、
前記フィルタ部材は縦長の筒体として、この筒体に傾斜させた少なくとも一面のエレメントを備えたことを特徴とする燃料タンク。
【請求項２】
前記筒体は、上部・下部開口部を除き燃料並びに水を通さない壁で構成し、前記傾斜させたエレメントは、上部開口部に被せたことを特徴とする請求項１記載の燃料タンク。
【発明の詳細な説明】
【技術分野】
【０００１】
本発明は、燃料に混入した水やゴミ等の異物を分離するため、フィルタ部材を内部に備えた燃料タンクに関するものである。
【背景技術】
【０００２】
従来、フィルタ部材としてフッ素樹脂製エレメントを内部に備えた燃料タンクが知られている（例えば、特許文献１参照。）。
【特許文献１】実開平４−１２３３６４号公報（図６）
【０００３】
特許文献１を次図に基づいて説明する。
図９は従来の技術の基本構成を説明した図であり、給油口蓋１０１の周囲にオーバーフロー通路１０２を設け、このオーバーフロー通路１０２から主燃料タンク１０３に通ずる部分に補助燃料タンク１０２を設け、この補助燃料タンク１０２をフッ素樹脂製のフィルタ部材１０５で閉鎖した。
また、オーバーフロー通路１０２に雨水を外部に流すためのドレン穴１０６を付設した。
【０００４】
オーバーフローした燃料は、フッ素樹脂製のフィルタ部材１０５により、水分と燃料分とに分離される。燃料分はフィルタ部材１０５を通過し、補助燃料タンク１０２から主燃料タンク１０３に回収される。その一方で、雨滴等の水分はドレン穴１０６を通り、ドレン通路１０７に至り、機体外に排出されるというものである。
【０００５】
しかし、フッ素樹脂製のフィルタ部材１０５は、ドレン通路１０７の底面と平行に配置したので、オーバーフロー通路１０２に残存した水分がフィルタ部材１０５を覆う虞がある。水分がフィルタ部材１０５を覆うと、水の膜が阻止作用を発揮して、燃料の通過が妨げられ、円滑な濾過が望めなくなる。
【発明の開示】
【発明が解決しようとする課題】
【０００６】
本発明は、長期間にわたり、水分が混入した燃料の水分を円滑に濾過する濾過機構を有する燃料タンクを供給することを課題とする。
【課題を解決するための手段】
【０００７】
請求項１に係る発明は、水は通さないが燃料は通過させる性質を有するフッ素樹脂製エレメントを備えるフィルタ部材を介して、タンク内の燃料をタンク外に導く形式の燃料タンクにおいて、フィルタ部材は縦長の筒体として、この筒体に傾斜させた少なくとも一面のエレメントを備えたことを特徴とする。
【０００８】
縦長の筒体であるフィルタ部材に少なくとも一面のエレメントを傾斜させて配置したので、エレメントにより分離した水分がエレメントの全面を覆うことは少なくなる。すなわち、エレメントを傾斜配置したので、エレメントの下位部位に水分が付着したとしても、上位部位は機能を発揮する。
従って、分離された水分が増えて濾過面を構成するエレメントの全面を覆うまでの余裕代を確保できるので、水平に配置した場合に比べ長期間にわたり、円滑に燃料を濾過させることができる。
【０００９】
請求項２に係る発明は、筒体は、上部・下部開口部を除き燃料並びに水を通さない壁で構成し、傾斜させたエレメントは、上部開口部に被せたことを特徴とする。
【００１０】
フィルタ部材を形成する筒体は、上部・下部開口部を除き燃料並びに水を通さない壁で構成し、傾斜させたエレメントを上部開口部に被せたので、分離した水分やゴミ、砂、ドロ、草木の破片等の異物は脱落して筒体外の下部に溜まる。
すなわち、異物はエレメントから脱落するので、傾斜させたエレメントに付着した水分や異物を効果的に除去することができ、さらに長期間、円滑に濾過することができる。
【発明の効果】
【００１１】
請求項１に係る発明では、フィルタ部材を形成する筒体にエレメントを傾斜させて配置したので、長期間にわたり、円滑に濾過させることができるという利点がある。
【００１２】
請求項２に係る発明では、フィルタ部材を上部・下部開口部を除き燃料並びに水を通さない壁で構成し、傾斜させたエレメントを上部開口部に被せたので、エレメントに付着した水分や異物を効果的に除去できるという利点がある。
【発明を実施するための最良の形態】
【００１３】
本発明を実施するための最良の形態を添付図に基づいて以下に説明する。なお、図面は符号の向きに見るものとする。
図１は本発明に係るエンジンの側面図であり、エンジン１１は、クランクケース１２と、このクランクケース１２にボルト締めするシリンダブロック１３と、クランクケース１２から上下に延ばしたクランクシャフト１４とを備えた。そして、クランクシャフト１４の上端にリコイルスタータ１５を取付け、リコイルスタータ１５に紐を介してスタータグリップ１６を取付け、クランクシャフト１４の下端を出力軸となるように構成したことを示す。
【００１４】
図中、１７はファンカバー、１８は燃料タンク、１９は給油口、２１は給油口キャップである。燃料を供給するため、燃料タンク１８の下方から燃料供給パイプ２３を延ばし、燃料コックスイッチ２４を介してキャブレター２５につないだ。２６はスロットルレバーである。
また、２８はキャブレター２５に濾過した清浄なエアを供給するエアクリーナユニットである。
【００１５】
図２は本発明に係るエンジンの平面図であり、ファンカバー１７を固定ボルト２９によりエンジンに取付けたことを示す。３１はファンカバー１７の上面に設けた堰であり、燃料注入の際ファンカバー１７の内側に燃料の侵入を防止する部材である。
なお、３２はブレーキレバー、３３は消音器ユニットである。
【００１６】
図３は本発明に係る燃料タンクの平面図であり、燃料タンク１８の上半分を兼ねる部材であるファンカバー１７上面の略中心部にリコイルスタータ用の穴３６を開け、この穴３６の側方に燃料給油口１９を設けたことを示す。
【００１７】
図４は図３の４−４線断面図であり、燃料タンク１８の上半分を兼ねるファンカバー１７の下方から燃料タンク１８の下半分となる燃料タンク部材３７を固着したことを示す。材質は共にオレフィン材であり、固着はヒートボンドにより行ったが、必ずしもオレフィン材及びヒートボンドによる固着に限定されない。例えば、材質を鋼板とし、片側の部材の周囲を曲げ、折り返すことで固着することもできる。
そして、燃料タンク部材３７の下部から上向きに筒体３９を立設し、この筒体３９に水は通さないが燃料は通過させる性質を有するフッ素樹脂製のエレメント４５を取付ける。
【００１８】
図３に戻って、燃料タンク部材３７（図４参照）に燃料排出口３８を延設し、燃料排出口３８の入口に筒体３９を備えた。この筒体３９は、図時計回りに第１縦壁部４１と、第２縦壁部４２と、第３縦壁部４３と、第４縦壁部４４とからなる部材である。
【００１９】
図５は図３の５−５線断面図であり、ファンカバー１７の下方から燃料タンク１８の下半分となる燃料タンク部材３７を固着し、燃料タンク部材３７の下部から上向きに筒体３９を立設し、この筒体３９にフッ素樹脂製のエレメント４５を取付けたことを示す。
【００２０】
すなわち、筒体３９とエレメント４５とからなるフィルタ部材４６を介して、タンク内の燃料をタンク外に導く形式の燃料タンク１８において、フィルタ部材４６は縦長の筒体３９と、エレメント４５とからなる部材である。エレメント４５をこの筒体に傾斜させて備えた。そして、筒体３９は、上部開口部４８及び下部開口部４９である燃料排出口３８の入口を除き燃料並びに水を通さない壁で構成し、傾斜させたエレメント４５を上部開口部４８に被せた。
【００２１】
さらに詳しく説明すると、筒体３９を構成する第２縦壁部４２の高さｈ２を第４縦壁部４４の高さｈ４よりも高くなるように、すなわちｈ４＜ｈ２となるように立設し、第２縦壁部４２の上面４２ａと第４縦壁部４４の上面４４ａにエレメント４５を取付ける。そして、筒体３９の内側下部から水平方向に燃料排出口３８を設ける。４４ｂは第４縦壁部４４を補強するためのリブである。
【００２２】
なお、図表裏方向に立設した第３縦壁部４３（図４参照）及び第１縦壁部４１は台形の形状を呈し、これらの４つの縦壁部からなる筒体３９とエレメント４５とでフィルタ部材４６を構成した。
【００２３】
以下、本発明に係る燃料タンクの作用について説明する。
図６は傾斜させて配置したフッ素樹脂製エレメントの作用図であり、このエレメント４５はフッ素樹脂製であり、水は通さないが燃料は通過させる性質を有する。
水分等が混入した燃料（Ｆ+Ｄ）がエレメント４５に達すると、燃料分Ｆのみが通過し、水分やゴミ、砂、ドロ、草木等の異物Ｄは通過せず、傾斜したエレメント４５に沿って脱落して筒体３９の下部に集まる。
この結果、エレメント４５に付着した水分や異物を効果的に除去することができる。
【００２４】
図７は水分等を燃料から分離することを示す作用図である。
フィルタ部材４６にエレメント４５を傾斜させて配置したので、エレメント４５により分離した水分がエレメント４５の全面を覆って塞ぐことは少なくなる。すなわち、エレメントを傾斜配置したので、エレメントの下位部位に水分が付着したとしても、上位部位は機能を発揮する。
【００２５】
従って、分離された水分等Ｄが増えてエレメント４５の全面を塞ぐまでの余裕代を確保できるので、水平に配置した場合に比べ長期間にわたり円滑に燃料を濾過させることができる。
この結果、燃料供給パイプ２３を通じて円滑な燃料の供給を維持することができる。
【００２６】
筒体３９は、上部開口部４８及び下部開口部４９を除き燃料並びに水を通さない壁４０で構成し、傾斜させたエレメント４５は、上部開口部４８に被せた。
【００２７】
フィルタ部材４６を形成する筒体３９は、上部開口部４８及び下部開口部４９を除き燃料並びに水を通さない壁４０で構成し、傾斜させたエレメント４５を上部開口部に被せたので、傾斜させたエレメント４５で分離した水分やゴミ、砂、ドロ、草木等の異物Ｄは脱落して筒体外の下部５１に集まる。
すなわち、水分や異物Ｄは脱落するので、傾斜させたエレメント４５に付着した水分や異物を効果的に除去することができ、さらに長期間、円滑に濾過することができる。
【００２８】
図８は図５の別実施例図であり、図５は図３の５−５線断面図であり、燃料タンク部材３７の下部から上向きに筒体３９を立設し、この筒体３９にフッ素樹脂製のエレメント４５を傾斜させ対向するように高さｈ５で取付けたことを示す。すなわち、このエレメント４５は傾斜した２面４５Ｌ、４５Ｒを有する部材である。
【００２９】
筒体３９を構成する第２縦壁部４２と第４縦壁部４４とは、第２縦壁部４２の高さｈ２と第４縦壁部４４の高さｈ４が同一又はほぼ同一になるようにする。そして、第２縦壁部４２の上面４２ａにエレメント４５Ｌを、第４縦壁部４４の上面４４ａにエレメント４５Ｒを取付ける。なお、４４ｂは第４縦壁部４４を補強するためのリブである。
なお、図表裏方向に立設した第３縦壁部４３及び図示せぬ第１縦壁部４１は略５角形の形状を呈し、これらの４つの縦壁部４１、４２、４３、４４からなる筒体３９とエレメント４５Ｌ、４５Ｒとでフィルタ部材４６を構成した。
【００３０】
フィルタ部材４６に取付ける傾斜させたエレメント４５を２面としたが、３面であってもよく、傾斜させた面数に制約は設けないものとする。
さらに、実施例において、縦壁部を有する筒体の断面形状を矩形としたが、矩形に限定されないものとする。例えば、円形でも良いし楕円形でも良い。
【００３１】
また、筒体を構成する縦壁部の一部又は全部をエレメントに置き換えても差し支えないものとする。例えば、縦壁部の全てをエレメントに置き換えて、前記傾斜面と合わせてフィルタ部材全体をエレメントで構成することも可能である。
【００３２】
尚、本発明に係る燃料タンクは、実施の形態では汎用ガソリンエンジンに適用したが、汎用デイーゼルエンジンの燃料タンクにも適用することは差し支えない。
【産業上の利用可能性】
【００３３】
本発明に係る燃料タンクは、汎用ガソリンエンジンに好適である。
【図面の簡単な説明】
【００３４】
【図１】本発明に係るエンジンの側面図である。
【図２】本発明に係るエンジンの平面図である。
【図３】本発明に係る燃料タンクの平面図である。
【図４】図３の４−４線断面図である。
【図５】図３の５−５線断面図である。
【図６】傾斜させて配置したフッ素樹脂製エレメントの作用図である。
【図７】水分等を燃料から分離することを示す作用図である。
【図８】図５の別実施例図である。
【図９】従来の技術の基本構成を説明した図である。
【符号の説明】
【００３５】
１８…燃料タンク、３８…燃料排出口、３９…筒体、４１…第１縦壁部、４２…第２縦壁部、４３…第３縦壁部、４４…第４縦壁部、４５…エレメント、４６…フィルタ部材、４８…上部開口部、４９…下部開口部。
【図１】
2005155347.tif 000003
【図２】
2005155347.tif 000004
【図３】
2005155347.tif 000005
【図４】
2005155347.tif 000006
【図５】
2005155347.tif 000007
【図６】
2005155347.tif 000008
【図７】
2005155347.tif 000009
【図８】
2005155347.tif 000010
【図９】
2005155347.tif 000011